(57)【要約】【課題】  本発明は、防災時にカバン内部の収納物を取り出すことなく、防災頭巾として使用することができ、長時間防災頭巾を被っていても防災頭巾が頭部からずれないようにすることを目的とするものである。【解決手段】カバン本体部Ａは、防災時に頭部を覆う防災頭巾に兼用できるものである。カバン本体部Ａは、上辺部Ａ１に有する左右対称２箇所に設けられたまち部１と、当該カバン本体部Ａの内側に設けられ且つ防災グッズを入れるための第一収納部２、第二収納部３及び第三収納部４と、カバン本体部Ａの左右両側辺部Ａ２にある首元を固定するためのバンド付止め具５とを備えている。また、前記まち部１の上辺部に設けたファスナーＦにより、当該まち部同士が着脱可能な構造となっている。さらに、当該着脱可能なまち部１をファスナーで接続した後、中心短辺が頭頂部に来るように防災頭巾を被り、バンド付止め具５で首元を固定し装着する。【選択図】  図１
2014209956.tif 000002
【特許請求の範囲】
【請求項１】
折り曲げ可能な中心辺を有すると共にこの中心辺の左右側に本体の上辺部と底辺部とが形成されたカバン本体部と、
前記左右の上辺部同士に渡って設けられた着脱構造のまち部と、
を備えたことを特徴とする防災頭巾兼用カバン。
【請求項２】
前記カバン本体部は、少なくともクッション層および硬質層を有する積層構造であることを特徴とする請求項１に記載の防災頭巾兼用カバン。
【請求項３】
更に、前記カバン本体部には、バンド部分と止め具部分とからなるバンド付止め具が設けられ、前記止め具部分にはホイッスルが設けられていることを特徴とする請求項１又は２に記載の防災頭巾兼用カバン。
【請求項４】
カバン本体部の内部には、頭部に被った状態で開口が横方向から上方向に向く収納部が設けられていることを特徴とする請求項１〜３のいずれか一つに記載の防災頭巾兼用カバン。
【発明の詳細な説明】
【技術分野】
【０００１】
本発明は、災害時、防災頭巾に変えることができる防災頭巾兼用カバンに関するものである。
【背景技術】
【０００２】
災害の発生は予測がつかないため、災害発生時に自宅にいるとは限らず、外出中や仕事中ということもあり得る。また、高層の建物、住宅が密集している首都直下型地震が起きた場合、屋外・屋内での物の転倒や落下から素早く身を守る必要が生じる。このようなことから、外出先でも防災対策が行えるよう、手軽に持ち運びができ且つ落下物から素早く身を守ることができる防災頭巾兼用カバンが開発されている。
【先行技術文献】
【特許文献】
【０００３】
【特許文献１】特開２００７−３７６０２号公報
【発明の概要】
【発明が解決しようとする課題】
【０００４】
防災頭巾に転用できるカバンとして上記特許文献１にかかる発明が存在する。この特許文献１に係る発明は、カバン本体が第一、第二側辺部、上辺部及び底辺部からなる長方形状であり、第二側辺部、上辺部又は底辺部にはカバンを開閉するためのファスナーが装着されている。また、カバン本体内部に対し、インナー袋が着脱自在に設けられている。さらに、カバン本体には取っ手が備えられており、カバン本体の底辺部から上方にかけて頭部を固定するための補強ベルトが取り付けられている。この補強ベルトは、取っ手とバックル具により取り外し自在な構造である。防災頭巾として使用するには、カバン本体上辺部のファスナーの摘まみ部を第二側辺部、底辺部に移動させ、略コの字形状に開口する。取っ手は、不要であるため取り外す。
【０００５】
次に、開口部を押し広げ、一部を左右外方向に広げるように折り曲げることにより、立体的な防災頭巾状に変形させ、頭から首元に向かって被る。必要であれば、補強ベルトで防災頭巾を後頭部で固定したり、インナー袋をカバン本体から落とさないよう固定するために首元を紐で結ぶなどして使用する。
【０００６】
しかしながら、上記特許文献１に係る発明は、後頭部の固定が補強ベルトによるため、頭部から防災頭巾がずれやすいという問題が生じていた。さらに、防災頭巾として使用する際、カバン本体を逆さまにして使用することから、災害時に慌てて被った際に、カバン本体の中身が地面に落ちてしまうという問題も生じていた。
【０００７】
本発明は、長時間防災頭巾を被っていても防災頭巾が頭部からずれないようにすることを第一の目的とする。また、カバン本体から中身がこぼれ落ちないようにすることを第二の目的とする。
【課題を解決するための手段】
【０００８】
上記のような問題点を解決するため、第１の発明は、折り曲げ可能な中心辺を有すると共にこの中心辺の左右側に本体の上辺部と底辺部とが形成されたカバン本体部と、
前記左右の上辺部同士に渡って設けられた着脱構造のまち部と、
を備えたことを特徴とする防災頭巾兼用カバン。
【０００９】
また、第２の発明は、前記カバン本体部は、少なくともクッション層および硬質層を有する積層構造であることを特徴とする請求項１に記載の防災頭巾兼用カバン。
【００１０】
また、第３の発明は、更に、前記カバン本体部には、バンド部分と止め具部分とからなるバンド付止め具が設けられ、前記止め具部分にはホイッスルが設けられていることを特徴とする請求項１又は２に記載の防災頭巾兼用カバン。
【００１１】
また、第４の発明は、カバン本体部の内部には、頭部に被った状態で開口が横方向から上方向に向く収納部が設けられていることを特徴とする請求項１〜３のいずれか一つに記載の防災頭巾兼用カバン。とするものである。
【図面の簡単な説明】
【００１２】
【図１】防災頭巾兼用カバン本体部を全開にしたカバン内部の展開図である。
【図２】図１に示した防災頭巾兼用カバンを閉じた状態を示す斜視図である。
【図３】カバン本体部の構造を示す断面図である。
【図４】プラスチック層に発泡スチロール層を重ねた構造を示す図である。
【図５】図４に示した構造にアルミ箔パッキン層を重ねた構造を示す図である。
【図６】カバン本体部を頭巾として使用した場合の使用状態を示す前方斜視図である。
【図７】カバン本体部を頭巾として使用した場合の使用状態を示す後方斜視図である。
【図８】この発明の実施の形態２に係る防災頭巾兼用カバンを全開にしたカバン内部の展開図である。
【図９】図８の防災頭巾兼用カバンを頭巾として使用した場合の使用状態を示す前方斜視図である。
【図１０】この発明の実施の形態３に係る防災頭巾兼用カバンを全開にしたカバン内部の展開図である。
【図１１】図１０に示した防災頭巾兼用カバンの使用状態を示す前方斜視図である。
【図１２】この発明の実施の形態４に係る防災頭巾兼用カバンを全開にしたカバン内部の展開図である。
【図１３】図１２に示した防災頭巾兼用カバンの使用状態を示す側面図である。
【図１４】この発明の実施の形態５に係る防災頭巾兼用カバンを全開にしたカバン内部の展開図である。
【図１５】この発明の実施の形態５に係る錣部を折り畳んだ状態から展開した状態にしたことを示す図である。
【図１６】図１４に示した防災頭巾兼用カバンの使用状態を示す後方斜視図である。
【発明を実施するための形態】
【００１３】
以下これらの発明につき、図面を参照しつつ詳細に実施の形態を説明する。なおこの実施の形態によりこれらの発明が限定されるものではない。
【００１４】
[実施の形態１]
図１は、防災頭巾兼用カバン本体部を全開にしたカバン内部の展開図である。この防災頭巾兼用カバンは、長方形のカバン本体部Ａと、当該カバン本体部の上辺部Ａ１に有する左右対称２箇所に設けられたまち部１と、当該カバン本体部の内側に設けられ且つ防災グッズを入れるための第一収納部２、第二収納部３及び第三収納部４と、カバン本体部の左右両側辺部Ａ２にある首元を固定するためのバンド付止め具５とを備えている。
【００１５】
前記カバン本体部Ａは、長手方向の略中央に設けた中心短辺Ｂにおいて折り曲げ可能であり、この中心短辺の左右両側に上辺部Ａ１、底辺部Ａ３及び側辺部Ａ２を有する全体として長方形の構造である。また、前記まち部１の上辺部に設けたファスナーＦにより、当該まち部同士が着脱可能な構造となる。後述するが、ファスナーＦによりまち部１を接続することで当該まち部は左右の上辺部に渡って設けられることになる。
【００１６】
なお、前記まち部１は、カバン本体部の内部に折りたんで収容できるようになっている。また、上記収納部へ収納させるため、まち部そのものを本体に対してファスナーで取り外せる構造としてもよい。さらに、前記まち部1は、上辺部左右どちらか片方のみに設けてもよい。
【００１７】
前記カバン本体部Ａの内側に設けられた第一収納部２、第二収納部３および第三収納部４について、第一収納部２は、それぞれカバン側辺部Ａ２方向への開口からのみ、第二収納部３は、底辺部Ａ３に向かって斜めに有する開口からのみ収納が可能となっている。即ち、頭部に被った状態で前記第一収納部２の開口が上方向に向き、第二収納部３の開口が横方向ないし斜め上方向に向くことになる。これにより防災頭巾として使用した際、各開口が下を向くことがないため、収納物がこぼれ落ちることない。また、前記第三収納部４は、ペンライトなど円筒状の避難グッズを面テープで固定することにより収納可能としている。
【００１８】
さらに、前記バンド付止め具５は、バンド部分と止め具部分とからなる。また、止め具部分には、救助を要請するためのホイッスルが一体形成されている。ホイッスルとして用いるときは、止め具のホイッスルを顔の中心に持ってきて当該ホイッスルの口をくわえて吹く。また、前記第三収納部４には、簡単に取り外し可能な方位磁石が標準装着されている。
【００１９】
図２は、図１に示した防災頭巾兼用カバンを閉じた状態を示す斜視図である。カバン本体部の表側には、夜の安全性を高めるために反射板６が複数設けられている。なお、反射板６に代えて、蓄光板やＬＥＤ（Light Emitting Diode）を設けても良い。また、カバン本体部を持ち運びやすくするため、取っ手を設けてもよい。
【００２０】
図３は、カバン本体部の構造を示す断面図である。カバン本体部は、表面側からポリエステル層７、アルミ箔パッキン層８、プラスチック層９、発砲スチロール層１０、ポリエステル層１１の順に積層した５層構造となる。これにより、頭部の衝撃を緩和しつつ、防災頭巾兼用カバンの軽量化を実現する。なお、プラスチック層９により落下物による頭部の強い衝撃を分散させることにより、頭部へ直接落下物が侵入、貫通することを防止し、アルミ箔パッキン層８又は発砲スチロール層１０により頭部に与える衝撃を和らげることによって頭部への打撲、骨折などの怪我を防止する。特に、災害では、物の転倒や落下から頭部の損傷を防ぐ必要があるため、プラスチック層を上層とするのが好ましい。尚、本防災頭巾兼用カバンの本体部断面構造は必ずしも５層構造である必要はないが、頭部損傷防止を最優先に考慮することとなると、少なくとも図４又は図５に示すような２層又は３層構造を取るのが好ましい。具体的には、図４に示すように、プラスチック層９に発泡スチロール１０層を重ねた構造としても良いし、図５に示すように、前記図４に示した構造にアルミ箔パッキン層８を重ねた構造としても良い。
【００２１】
さらに、カバン本体部の表面層である、ポリエステル層７に変えて、難燃性、防火性に優れているアラミド層に変更し、安全性を高めることもできる。
【００２２】
図６は、カバン本体部を頭巾として使用した場合の使用状態を示す前方斜視図である。図７は、カバン本体部を頭巾として使用した場合の使用状態を示す後方斜視図である。以下、本発明の使用方法を説明する。
【００２３】
本防災兼用カバンを防災頭巾として使用するには、図２の閉じた状態から、図１のカバン本体部の上辺部Ａ１にあるファスナーＦの摘みを、側辺部Ａ２から底辺部Ａ３に沿って移動させ、カバン本体部を図１のように全開する。そして、防災頭巾兼用カバンのまち部１を上に向け、本防災兼用カバンを折り曲げ、当該まち部１の両端部をファスナーＦで閉じる。そして、収納部が内側になるようにして頭から被る。その際、前記まち部１が、頭部後方に位置するようにし、且つカバン本体の中心短辺Ｂが頭頂部に位置するようにする。
【００２４】
その後、前記バンド付止め具５で防災頭巾を頭に固定する。尚、前記バンド付止め具５は、顔や頭の大きさによって自由に調整でき且つワンタッチで止めることができる。また、固定方法はバンド付止め具の代わりに紐などを用いてもよい。
【００２５】
以上、この発明に係る防災頭巾兼用カバンによれば、防災頭巾として使用した場合、まち部１を設けたので、頭を動かしても本防災兼用カバンが頭部からずれず、安定して装着できるようになる。
【００２６】
なお、防災頭巾として用いる必要がなくなったときは、図６の首元にある前記バンド付止め具５を外し、防災頭巾を脱ぐ。そして後頭部にある２つのまち部１を固定するファスナーＦを下から上へ移動させることでまち部１を開き、カバン本体部の内部へ折り畳んでしまうことができる。その後、カバン本体部の底辺部Ａ３にあるファスナーＦの摘みを、側辺部Ａ２および上辺部Ａ１に沿って移動させ、閉じる。
【００２７】
上記実施の形態１のカバン本体部Ａは、楕円形状または、側辺部Ａ２が円弧状のものであってもよい。
【００２８】
[実施の形態２]
図８は、この発明の実施の形態２に係る防災頭巾兼用カバンを全開にしたカバン内部の展開図
である。以下、実施の形態１と同じ構成要素には同じ符号を用いて説明を省略し、異なる部分を説明するものする。
【００２９】
この実施の形態２に係る防災頭巾兼用カバンでは、災害時に雨や風が強い場合、顔全体を覆うことができるようカバン本体部の内部左右下隅部にマスク１２を収納できる第四収納部１３と、防災頭巾兼用カバン内部の中心底部にフード１４を収納できる第五収納部１５を設けた。前記マスク１２とフード１４は、災害時にいつでも取り出せるようそれぞれ第四収納部１３、第五収納部１５に収納された状態になっている。尚、マスク１２やフード１４は、風雨を凌げるように防水性、撥水性のある素材とするのが良い。また、マスク１２の先端には面テープ１８が設けられ、フード１４の先端には、ファスナーＦが設けられており、装着時に固定できるものとなっている。
【００３０】
図９は、図８の防災頭巾兼用カバンを頭巾として使用した場合の使用状態を示す前方斜視図である。カバン本体部を全開するまでの工程は、実施の形態１と同じである。カバン本体部を全開した後、第四収納部１３および第五収納部１５からそれぞれマスク１２とフード１４を取り出す。そして、収納部が内側になるようにして頭から被る。その際、まち部１が頭部後方に位置するようにし、且つカバン本体の中心短辺Ｂが頭頂部に位置するように被る点は、実施の形態１と同様である。
【００３１】
次に、前記ベルト付止め具５で頭部を固定し、予め第五収納部１５から取り出しておいたフードを、頭上から額が見えなくなるくらいまで軽く引っ張り、フード両端部にあるファスナーＦで図９に示すように固定する。尚、固定方法は、面テープなどを用いてもよい。
【００３２】
次に、予め第四収納部１３から取り出しておいたマスク１２を、左右から中心へ向かって口元が覆われるように軽く引っ張り、マスク先端にある面テープ１８でマスクを固定する。尚、当該マスクの固定には、複数のボタンやファスナーなどを用いても良い。これにより、防災時に雨や風などが強い日であっても安心である。また装着中、粉塵も呼吸時に肺に入らない。
【００３３】
防災頭巾としての使用が不要になったときや、フード、マスクが不要になったときは、フード１４を固定しているファスナーＦを開くと共に、前記マスク１２を固定している面テープ１８を剥ぎ、首元の前記バンド付止め具５を外す。そして、防災頭巾兼用カバンを脱ぎ、マスク１２とフード１４を第四収納部１３および第五収納部１５にそれぞれ収納する。
【００３４】
[実施の形態３]
図１０は、この発明の実施の形態３に係る防災頭巾兼用カバンを全開にしたカバン内部の展開
図ある。以下、実施の形態１と同じ構成要素には同じ符号を用いて説明を省略し、異なる部分を説明するものとする。
【００３５】
この防災頭巾兼用カバンは、まち部１が頭頂部に位置するように被るものである。当該まち部は、頭部の衝撃を緩和するため、上記図３に示した５層構造とするのが好ましく、少なくとも図４、図５に示した２層構造または３層構造にするものとする。このとき、まち部分をしっかり固定するため、固定するファスナーＦの代わりにボタンや面テープなどを用いてもよい。さらに上記まち部以外の構造は、５層構造またはそれ以下の構造であってもよい。
【００３６】
図１１は、図１０に示した防災頭巾兼用カバンの使用状態を示す前方斜視図である。カバンを全開するまでの工程は、実施の形態１と同じである。カバン本体部を全開した後、図１０に示す状態から、防災頭巾兼用カバンのまち部１方向を上にして、本防災兼用カバンを折り曲げ、まち部両端部をファスナーＦで閉じる。さらに、カバン本体部内面の中心短辺Ｂを後頭部中心にあたるように被る。その後、カバン本体内部が顔全体を覆うよう、図１１に示すように装着し、前記ベルト付止め具５で首元を固定する。これにより、防災頭巾兼用カバンがしっかりと固定されるので、ずれ落ちることがない。
【００３７】
なお、防災頭巾としての使用が不要になったときは、首元の前記ベルト付止め具５を外し、頭上のまち部１を閉じているファスナーＦを開け、防災頭巾兼用カバンを脱ぐ。その後、まち部１
をカバン内部に折り畳んで収納する。
【００３８】
[実施の形態４]
図１２は、この発明の実施の形態４に係る防災頭巾兼用カバンを全開にしたカバン内部の展開
図である。以下、実施の形態１と同じ構成要素には同じ符号を用いて説明を省略し、異なる部分を説明するものとする。
【００３９】
この防災頭巾兼用カバンは、カバン本体部の上辺部および底辺部の中央付近に左右それぞれ一対の第一止め具１６を設けている。この第一止め具１６は、前記バンド付止め具５と同様、バンド部分と止め具部分からなり、ワンタッチで止められる構造となっている。なお、バンドは自在に長さを調整できる。また、前記第一止め具１６の止め具部分からは第二止め具１７が延出している。この第二止め具１７もバンド部分と止め具部分からなり、ワンタッチで止められる構造となっている。なお、図１３のように首元で固定するため、バンド部分が第一止め具１６よりも長めの構造とする方が望ましい。もちろん当該バンドも自在に長さを調整できる。さらに、実施の形態１と同様ホイッスルとして使用することも可能である。
【００４０】
図１３は、図１２に示した防災頭巾兼用カバンの使用状態を示す側面図である。カバンを全開するまでの工程は、実施の形態１と同じである。カバン本体部を全開した後、図１２に示す状態から、カバン内面の収納部を内側にし、カバン本体部で頭頂部から後頭部を覆うように装着する。その後、左右こめかみ付近に位置する第一止め具１６で頭部を固定する。さらに、第一止め具１６から延出した第二止め具１７を首元まで引っ張り、固定する。これにより、防災頭巾兼用カバンがしっかりと固定されるので、ずれ落ちることがない。
【００４１】
なお、防災頭巾としての使用が不要になったときは、首もとの第二止め具１７を外した後、こめかみ付近にある第一止め具１６を外して、防災頭巾を脱ぐ。
【００４２】
[実施の形態５]
図１４は、この発明の実施の形態５に係る防災頭巾兼用カバンを全開にしたカバン内部の展開
図である。以下実施の形態１と同じ構成要素には同じ符号を用いて説明を省略し、異なる部分を説明するものとする。
【００４３】
この防災頭巾兼用カバンは、カバン本体部Ａの左右側辺部Ａ２に錣部Ａ１９を有する。また、錣部Ａ１９の上辺部には錣部Ｂ２０を有し、錣部Ｂ２０の下辺部には左右の錣部Ｂ２０を固定するフック２１が２か所に設けられている。錣部Ａ１９及び錣部Ｂ２０は、防災頭巾として使用しないときは、共にカバン本体部Ａの内部に収納できるものであり、防災頭巾として使用する場合にカバン本体部Ａから取り出す構造となっている。なお、錣部Ａ１９と錣部Ｂ２０は、折り曲げても柔軟性を有し、且つ落下物から首や肩の損傷を防ぐことが必要なため、上記同様、図４と図５に示すように２層または３層構造とすることが望ましいが、難然性ポリエステルやゴム、またはプラスチックを素材として使用してもよい。
【００４４】
図１５は、この発明の実施の形態５に係る錣部を折り畳んだ状態から展開した状態にしたこと
を示す図である。図１６は、図１４に示した防災頭巾兼用カバンの使用状態を示す後方斜視図である。
【００４５】
カバンを全開するまでの工程は、実施の形態１と同じである。図１４の状態から、図１５に示すように、カバン本体部Ａの内部に収納された錣部Ａ１９と錣部Ｂ２０をカバン内部から外へ取り出し、錣部Ａ１９の内側に折り畳まれた錣部Ｂ２０を開く。
次に、まち部１の両端部をファスナーＦで閉じた後、図１６のように、まち部１が後頭部を、錣部Ａ１９錣部Ｂ２０がそれぞれ両肩及び首の後ろ側を覆うように装着し、左右の錣部Ｂ２０をフック２１で止め、首の後ろを固定し、バンド付止め具５で首元を固定する。これにより、落下物から首や肩の損傷を防ぐことができる。
【符号の説明】
【００４６】
Ａ    本体部
Ａ１  上辺部
Ａ２  側辺部
Ａ３  底辺部
Ｆ    ファスナー
１    まち部
２    第一収納部
３    第二収納部
４    第三収納部
５    バンド付止め具
Ｂ    中心短辺
６    反射板
７    ポリエステル層
８    アルミ箔パッキン層
９    プラスチック層
１０    発砲スチロール層
１１    ポリエステル層
１２    マスク
１３    第四収納部
１４    フード
１５    第五収納部
１６    第一止め具
１７    第二止め具
１８    面テープ
１９    錣部Ａ
２０    錣部Ｂ
２１    フック
【図１】
2014209956.tif 000003
【図２】
2014209956.tif 000004
【図３】
2014209956.tif 000005
【図４】
2014209956.tif 000006
【図５】
2014209956.tif 000007
【図６】
2014209956.tif 000008
【図７】
2014209956.tif 000009
【図８】
2014209956.tif 000010
【図９】
2014209956.tif 000011
【図１０】
2014209956.tif 000012
【図１１】
2014209956.tif 000013
【図１２】
2014209956.tif 000014
【図１３】
2014209956.tif 000015
【図１４】
2014209956.tif 000016
【図１５】
2014209956.tif 000017
【図１６】
2014209956.tif 000018